(57)【要約】  新規な不活性環境用エンクロージャは、製造物品がエンクロージャに入る物品入口と、製造物品が出る物品出口とを含む。物品入口及び物品出口のうちの少なくとも一方は、空気がエンクロージャに入るのを防止するための上側流れ阻止体及び底側流れ阻止体の双方を含む。特定の実施形態において、上側流れ阻止体及び底側流れ阻止体は、それぞれ、複数の個々の隣接するフィンガーを有する可撓性の織物から構成されたカーテンを含む。他の特定の実施形態において、不活性環境用エンクロージャは、ウェーブはんだ付け機を収容する窒素フードである。不活性ガスノズルは、入口及び／又は出口に又はその近くに取り付けられている。不活性環境用エンクロージャは、製造物品がエンクロージャを通過するとき、周囲環境に対して陽圧を維持する。
2013501618.tif 000002
【特許請求の範囲】
【請求項１】
不活性環境用エンクロージャにおいて、
前記エンクロージャの内部及び前記エンクロージャの外部を規定する壁と、
前記エンクロージャの前記内部に対してガスを提供するように連結された少なくとも１つのガス入口と、
製造物品が前記エンクロージャに入る物品入口と、
前記製造物品が前記エンクロージャから出る物品出口とを備え、
前記物品入口及び前記物品出口のうちの少なくとも一方が、前記エンクロージャの外部からのガスが前記エンクロージャの前記内部に入るのを妨げるための上側流れ阻止体及び底側流れ阻止体を含み、前記上側流れ阻止体が、前記製造物品の上面に接触するように適合されており、前記底側流れ阻止体が、前記製造物品の底面に接触するように適合されている、不活性環境用エンクロージャ。
【請求項２】
前記少なくとも１つのガス入口が、前記物品入口及び前記物品出口のうちの一方に配置されている、請求項１に記載の不活性環境用エンクロージャ。
【請求項３】
前記エンクロージャの前記外部に対して前記エンクロージャの前記内部を陽圧に維持するように、前記ガス入口を介した前記ガスの流れを制御するように作動するフローコントローラをさらに備える、請求項２に記載の不活性環境用エンクロージャ。
【請求項４】
前記フローコントローラが、前記陽圧を維持するように、前記ガス入口を介してほぼ連続的なガスの流れを提供する、請求項３に記載の不活性環境用エンクロージャ。
【請求項５】
前記ガス入口が、前記物品出口に配置されている、請求項２に記載の不活性環境用エンクロージャ。
【請求項６】
流量計をさらに備え、該流量計によって前記ガス入口を介した前記物品出口へのガスの流れのユーザ制御が行われる、請求項５に記載の不活性環境用エンクロージャ。
【請求項７】
前記ガス入口が、前記物品入口に配置されている、請求項２に記載の不活性環境用エンクロージャ。
【請求項８】
前記物品出口に配置された第２のガス入口をさらに備える、請求項７に記載の不活性環境用エンクロージャ。
【請求項９】
前記ガス入口が、ガスノズルである、請求項２に記載の不活性環境用エンクロージャ。
【請求項１０】
前記ガスノズルが、窒素ガスを放出するように作動する、請求項９に記載の不活性環境用エンクロージャ。
【請求項１１】
前記ガス入口が、不活性ガス源から前記ガスを提供するように連結されている、請求項１に記載の不活性環境用エンクロージャ。
【請求項１２】
前記不活性ガス源が窒素源である、請求項１１に記載の不活性環境用エンクロージャ。
【請求項１３】
前記エンクロージャの前記外部に対して前記エンクロージャの前記内部を陽圧に維持するように、前記ガス入口を介した前記ガスの流れを制御するように作動するフローコントローラをさらに備える、請求項１に記載の不活性環境用エンクロージャ。
【請求項１４】
前記ガス入口が、前記陽圧を維持するのに十分な一定な流量で前記エンクロージャ内に前記ガスを放出するように作動する、請求項１３に記載の不活性環境用エンクロージャ。
【請求項１５】
前記物品入口を介して前記エンクロージャ内に且つ前記物品出口を介して前記エンクロージャから外部に製造物品を案内するように作動する案内システムをさらに備える、請求項１に記載の不活性環境用エンクロージャ。
【請求項１６】
前記案内システムが、前記物品入口及び前記物品出口を通って配置された軌道の組を含む、請求項１５に記載の不活性環境用エンクロージャ。
【請求項１７】
前記軌道の組が、前記エンクロージャを介してパレットを案内するように作動し、前記パレットが、その上に製造物品を搬送するように作動する、請求項１６に記載の不活性環境用エンクロージャ。
【請求項１８】
前記案内システムがコンベヤシステムである、請求項１５に記載の不活性環境用エンクロージャ。
【請求項１９】
前記上側流れ阻止体及び前記底側流れ阻止体のうちの少なくとも一方が、製造物品に摺動可能に接触するように適合された可撓性材料を含む、請求項１に記載の不活性環境用エンクロージャ。
【請求項２０】
前記可撓性材料が、織物から構成されている、請求項１９に記載の不活性環境用エンクロージャ。
【請求項２１】
前記織物がフッ化炭素を含む、請求項２０に記載の不活性環境用エンクロージャ。
【請求項２２】
前記織物が、１４８．９℃（華氏３００度）を超える温度に耐えることができる、請求項２０に記載の不活性環境用エンクロージャ。
【請求項２３】
前記織物が、前記底側流れ阻止体の一部であり、
製造物品を通過させることによって付勢されたとき、前記織物が下方に屈曲し、
前記織物が、前記製造物品によって下方に屈曲した後に直立位置に戻るような十分な弾性を有する、請求項２０に記載の不活性環境用エンクロージャ。
【請求項２４】
前記可撓性材料が、前記製造物品の進行方向を横切る少なくとも１つの列に配置されている、請求項１９に記載の不活性環境用エンクロージャ。
【請求項２５】
前記可撓性材料が、少なくとも第１のフィンガー及び隣接する第２のフィンガーを規定する第１の分離部を含み、前記第１のフィンガーが、前記第２の隣接するフィンガーから独立して屈曲することができる、請求項２４に記載の不活性環境用エンクロージャ。
【請求項２６】
可撓性材料の前記少なくとも１つの列が、前記可撓性材料の第１の層及び前記可撓性材料の第２の層を含み、前記可撓性材料の前記第１の層が、前記可撓性材料の前記第２の層に当接している、請求項２４に記載の不活性環境用エンクロージャ。
【請求項２７】
前記可撓性材料が、前記製造物品の進行方向を横切る複数の列に配置されている、請求項２４に記載の不活性環境用エンクロージャ。
【請求項２８】
前記上側流れ阻止体及び前記底側流れ阻止体のうちの前記少なくとも一方が、第１の板を含み、可撓性のカーテンが、前記第１の板上に取り付けられている、請求項１９に記載
の不活性環境用エンクロージャ。
【請求項２９】
前記可撓性材料が、取り付け部分及び自由部分を含み、前記取り付け部分が、前記第１の板に固定して取り付けられており、前記自由部分が、通過する製造物品に摺動可能に接触するように前記第１の板から延在しており、
前記第１の板が、第１の表面と、前記第１の表面とは反対側の第２の表面と、前記第１の表面及び前記第２の表面を貫通する開口とを含み、
前記第１の板の前記第１の表面が、前記可撓性材料の前記自由部分に対向し、前記第１の板の前記第２の表面が、前記可撓性材料の前記取り付け部分に対向するように、前記可撓性材料が、前記開口を通って配置されている、請求項２８に記載の不活性環境用エンクロージャ。
【請求項３０】
前記上側流れ阻止体及び前記底側流れ阻止体のうちの前記少なくとも一方が、さらに、第２の板を含み、該第２の板が、第１の表面と、前記第１の表面と反対側の第２の表面を有し、前記第１の板の前記第２の表面が、前記第２の板の前記第１の表面に対向するように、前記第２の板が前記第１の板に対して固定されており、前記可撓性材料の前記取り付け部分が、前記第１の板の前記第２の表面と前記第２の板の前記第１の表面との間に維持されている、請求項２９に記載の不活性環境用エンクロージャ。
【請求項３１】
前記上側流れ阻止体が、前記上側流れ阻止体と前記底側流れ阻止体との間を通過する製造物品の上面に摺動可能に接触するように適合された第１の自由部分を含み、
前記底側流れ阻止体が、前記上側流れ阻止体と前記底側流れ阻止体との間を通過する前記製造物品の底面に摺動可能に接触するように適合された自由部分を含み、
前記製造物品が前記上側流れ阻止体と前記底側流れ阻止体との間を通過しないとき、前記上側流れ阻止体の前記自由部分及び前記底側流れ阻止体の前記自由部分が、互いに接触するように適合されている、請求項１に記載の不活性環境用エンクロージャ。
【請求項３２】
前記物品入口が、上側流れ阻止体及び底側流れ阻止体を含み、
前記物品出口が、上側流れ阻止体及び底側流れ阻止体を含む、請求項１に記載の不活性環境用エンクロージャ。
【請求項３３】
前記物品入口の前記底側流れ阻止体が、前記物品入口の前記底側流れ阻止体と前記物品入口の前記上側流れ阻止体との間を通過する製造物品の底面に摺動可能に接触するように適合された自由部分を含み、
前記物品入口の前記上側流れ阻止体が、前記物品入口の前記底側流れ阻止体と前記物品入口の前記上側流れ阻止体との間を通過する前記製造物品の上面に摺動可能に接触するように適合された自由部分を含み、
前記製造物品が、前記物品入口の前記底側流れ阻止体と前記物品入口の前記上側流れ阻止体との間を通過しないとき、前記物品入口の前記底側流れ阻止体の前記自由部分及び前記物品入口の前記上側流れ阻止体の前記自由部分が、互いに接触するように適合されており、
前記物品出口の前記底側流れ阻止体が、前記物品出口の前記底側流れ阻止体と前記物品出口の前記上側流れ阻止体との間を通過する製造物品の底面に摺動可能に接触するように適合された自由部分を含み、
前記物品出口の前記上側流れ阻止体が、前記物品出口の前記底側流れ阻止体と前記物品出口の前記上側流れ阻止体との間を通過する前記製造物品の上面に摺動可能に接触するように適合された自由部分を含み、
前記製造物品が、前記物品出口の前記底側流れ阻止体と前記物品出口の前記上側流れ阻止体との間を通過しないとき、前記物品出口の前記底側流れ阻止体の前記自由部分及び前記物品出口の前記上側流れ阻止体の前記自由部分が、互いに接触するように適合されてい
る、請求項３２に記載の不活性環境用エンクロージャ。
【請求項３４】
前記不活性環境用エンクロージャが窒素フードである、請求項１に記載の不活性環境用エンクロージャ。
【請求項３５】
前記窒素フードが、ウェーブはんだ付け機を受け入れるように構成されている、請求項３４に記載の不活性環境用エンクロージャ。
【請求項３６】
前記エンクロージャが、ウェーブはんだ付け機を受け入れるように構成されている、請求項１に記載の不活性環境用エンクロージャ。
【請求項３７】
不活性環境用エンクロージャにおいて、
前記エンクロージャの内部及び前記エンクロージャの外部を規定する壁と、
前記エンクロージャの前記内部に対してガスを提供するように連結された少なくとも１つのガス入口と、
製造物品が前記エンクロージャに入る物品入口と、
前記製造物品が前記エンクロージャから出る物品出口とを備え、
前記物品入口及び前記物品出口のうちの少なくとも一方が、前記製造物品の上方及び下方において前記エンクロージャの外部からのガスが前記エンクロージャの前記内部に入るのを妨げる手段を含む、不活性環境用エンクロージャ。
【請求項３８】
不活性環境用エンクロージャにおいて、
前記エンクロージャの内部及び前記エンクロージャの外部を規定する壁と、
製造物品が前記エンクロージャに入る物品入口と、
前記製造物品が前記エンクロージャから出る物品出口とを備え、
少なくとも１つのガス入口が、前記エンクロージャの前記内部に対してガスを提供するように連結されており、前記少なくとも１つのガス入口が、前記物品入口又は前記物品出口に配置されている、不活性環境用エンクロージャ。
【発明の詳細な説明】
【技術分野】
【０００１】
本発明は、一般に、製造装置に関し、特に、不活性環境用エンクロージャに関する。さらに特には、本発明は、不活性環境用エンクロージャの性能を向上させる機能性に関する。
【背景技術】
【０００２】
電子機器製造業において、大規模なはんだ付けのプロセス及び装置は、例えばプリント回路基板（ＰＣＢ）等の製造物品上に電気部品をはんだ付けするために現在使用されている。通常、ＰＣＢは、はんだ付けされることになる電気部品のリード線を受け入れる複数のめっきされたスルーホール（ＰＴＨ）を含む。電気部品は、通常、リード線がＰＴＨを貫通してＰＣＢの底面から露出されるようにＰＣＢの上面に載置する。
【０００３】
一般に「ウェーブはんだ付け」として公知技術である１つのプロセスは、様々な電気的接合部を短期間にはんだ付けすることを可能にする。ウェーブはんだ付けは、通常、コンベヤシステムによってウェーブはんだ付け機を複数の生産用基板が通過することを含む。生産用基板がコンベヤシステム上に直接装填されるか、又は、複数の生産用基板がコンベヤシステム上に装填されたパレット上に配置される。生産用基板がコンベヤに沿って移動する際に、それらは一連のプロセスを経る。例えば、機械に投入された後に、生産用基板は、その底面上にフラックス層を付与するフラクサーを通過する。次に、生産用基板は、溶融はんだに対する急な暴露によって生じる熱衝撃を防止するように予熱されたヒーターを通過する。予熱された後に、生産用基板の底面全体は、はんだノズルを介して上方に射出されて波をなす溶融はんだを通過する。溶融はんだは、底面全体と接触し、その後、はんだマスクによって被覆されていない任意の領域上に接合部を形成する。はんだノズルはまた、付着することがない溶融はんだを捕らえるはんだ容器によって提供される。容器に戻るはんだは、他の溶融はんだと混合され、最終的にノズルから再射出される。
【０００４】
従来のウェーブはんだ付け機は、比較的迅速にいくつかの接合部をはんだ付けすることができるものの、欠点がある。例えば、大気中の酸素は、はんだノズル及び他の機械部品に堆積する酸化物（例えば、酸化スズや酸化鉛等）を形成するようにはんだと反応する。酸化物は、はんだフローを阻害するため、許容できるはんだ付けを達成するために除去されなければならない。もちろん、酸化物の除去は、予防保守（ＰＭ）を必要とし、したがって、装置及び製造を休止させる時間を必要とする。さらに、酸化物の形成は、新しいはんだによって連続的に交換されなければならない高価なはんだを消費する。さらに他の欠点として、酸化物は、環境的に有害な物質（すなわち、酸化鉛）を作り出す。
【０００５】
酸化物形成によって生じた問題を低減する取り組みにおいて、装置製造業者は、窒素フード等の不活性環境用エンクロージャ内で動作するウェーブはんだ付け機を設計した。窒素フードは、基本的に、空気がその部品と接触するのを防止するように機械周囲に構成された窒素で充満した大きなエンクロージャである。典型的な窒素フードは、はんだ付けされていない生産用基板を受け入れるための入口と、完成品が出る出口とを含む。
【０００６】
従来の窒素フードは、作業空間内で酸素の量を低減するのに役立つものの、問題はなおも存在する。例えば、空気は、入口及び出口の双方を介して従来のフード内に入る可能性がある。
【０００７】
従来の窒素フードに伴う問題を低減する取り組みにおいて、装置製造業者は、入口及び出口カーテンを有する窒素フードを設計した。そのようなカーテンは、また生産用基板が
そのカーテンを介して移動するのを許容する一方で、開口を介して気流を低減するように入口及び出口開口に取り付けられる。生産用基板がそのようなフード内に又はフード外に移動されないとき、カーテンは、空気が入るのを防止するように下方に懸下されている。コンベヤが入口又は出口を介して生産用基板を案内する際に、カーテンは、開口の上端と製造物品の上端との間において薄い「シール」を形成するように生産用基板の上面を軽くかすめる。
【０００８】
そのようなカーテンは、生産用基板がフード内に又はフード外に移動されていないとき、空気が入るのを防止するのに役立つものの、機械が使用中のとき、空気は、依然としてフードに入る。製造物品がフード内に又はフード外に通る際に、カーテンは持ち上げられ、製造物品の底面下における空気の流れを許容する。
【０００９】
したがって、必要とされるものは、製造物品がそのエンクロージャを通過するときにエンクロージャに入る空気及び／又は任意の他の潜在的に不要なガスの量を低減する不活性環境用エンクロージャである。
【発明の概要】
【発明が解決しようとする課題】
【００１０】
本発明は、特定の周囲環境からエンクロージャに入る可能性があるガスの量を低減するための機能を有する不活性環境用エンクロージャを提供することによって従来技術に伴う問題を解決する。
【課題を解決するための手段】
【００１１】
本発明の例示的な実施形態によれば、不活性環境用エンクロージャは、エンクロージャの内部及び外部を規定する壁と、エンクロージャの内部に対してガスを提供するように連結された少なくとも１つのガス入口と、製造物品がエンクロージャに入る物品入口と、製造物品がエンクロージャから出る物品出口とを含む。物品入口及び物品出口のうちの少なくとも一方は、エンクロージャの外部からのガスがエンクロージャの内部に入るのを妨げるための上側流れ阻止体及び底側流れ阻止体を含む。上側流れ阻止体は、製造物品の上面に接触するように適合されており、底側流れ阻止体は、製造物品の底面に接触するように適合されている。
【００１２】
例示的な実施形態において、ガス入口は、物品入口及び物品出口のうちの一方に配置されている。エンクロージャは、ガス入口を介したガスの流れを制御するためのフローコントローラをさらに含む。ガス入口を介したガスの流れは、エンクロージャの外部に対してエンクロージャの内部を陽圧に維持するように制御される。特定の実施形態において、フローコントローラは、製造物品がエンクロージャを通過するときであっても、陽圧を維持するように、ガス入口を介してほぼ連続的なガスの流れを提供する。開示された実施形態において、ガス入口は、物品出口に配置されている。流量計は、ガス入口を介し且つ物品出口へのガスの流れをユーザが制御することを可能にする。代替的な実施形態において、ガス入口は、物品入口に配置されており、第２のガス入口は、物品出口に配置されている。随意に、ガス入口は、不活性ガス（例えば窒素）源に連結されたガスノズルであり、エンクロージャ内に不活性ガスを放出するように作動する。
【００１３】
開示された実施形態において、エンクロージャは、物品入口を介してエンクロージャ内に且つ物品出口を介してエンクロージャから外部に製造物品を案内するための案内システムを含む。特定の実施形態において、案内システムは、物品入口及び物品出口を通って配置された軌道の組を含む。製造物品は、即座に複数の製造物品（例えばＰＣＢ）を運ぶように作動するパレット上のエンクロージャを介して運ばれる。１つの例示的な実施形態において、案内システムは、コンベヤシステムである。
【００１４】
開示された実施形態において、上側流れ阻止体及び底側流れ阻止体のうちの少なくとも一方は、通過する製造物品に摺動可能に接触するように適合された可撓性材料を含む。例示的な実施形態において、可撓性材料は、織物から構成されている。さらに特定の実施形態において、この織物はフッ化炭素を含み、１４８．９℃（華氏３００度）を超える温度に耐えることができる。さらに他の特定の実施形態において、この織物は、底側流れ阻止体の一部である。この織物は、製造物品の通過によって付勢されたとき、下方に屈曲するように十分な可撓性があり、さらに、製造物品が通過した後に直立位置に戻るように十分な弾性を有する。１つの実施形態において、可撓性材料は、製造物品の進行方向を横切る少なくとも１つの列に配置されている。随意に、可撓性材料は、製造物品の進行方向を横切る複数の列に配置されている。可撓性材料は、少なくとも第１のフィンガー及び隣接する第２のフィンガーを規定する第１の分離部を含む。第１のフィンガーは、第２の隣接するフィンガーから独立して屈曲する。各列は、可撓性材料の第１の層及びこれに当接する第２の層を含む。
【００１５】
例示的な実施形態において、上側流れ阻止体及び底側流れ阻止体のうちの少なくとも一方は、可撓性材料を取り付けるための第１の板を含む。可撓性材料は、取り付け部分及び妨げを受けない自由部分を含む。取り付け部分は、第１の板に対して固定的に取り付けられている。自由部分は、通過する製造物品に摺動可能に接触するように適合されている。第１の板は、第１の表面と、反対側の第２の表面と、第１の表面及び第２の表面の双方を貫通している開口とを含む。その板の第１の表面が可撓性材料の自由部分に対向し、その板の第２の表面が可撓性材料の取り付け部分に対向するように、可撓性材料は、開口を通って配置されている。さらに特定の実施形態において、流れ阻止体はまた、第１の表面及び反対側の第２の表面を有する第２の板を含む。第１の板の第２の表面が第２の板の第１の表面に対向するように、第２の板は、第１の板に対して固定されている。さらに、可撓性材料の取り付け部分は、第１の板の第２の表面と第２の板の第１の表面との間に挟持されている。
【００１６】
開示された実施形態において、上側流れ阻止体は、上側流れ阻止体と底側流れ阻止体との間を通過する製造物品の上面に摺動可能に接触するように適合された自由部分を含む。同様に、底側流れ阻止体は、上側流れ阻止体と底側流れ阻止体との間を通過する製造物品の底面に摺動可能に接触するように適合された自由部分を含む。製造物品が上側流れ阻止体と底側流れ阻止体との間を通過しないとき、上側流れ阻止体の自由部分及び底側流れ阻止体の自由部分は、互いに接触するように適合されている。
【００１７】
さらに特定の実施形態において、物品入口は、上側流れ阻止体及び底側流れ阻止体を含み、物品出口は、上側流れ阻止体及び底側流れ阻止体を含む。物品入口の底側流れ阻止体は、第１の物品入口の底側流れ阻止体と第１の上側流れ阻止体との間を通過する製造物品の底面に摺動可能に接触するように適合された自由部分を含む。同様に、物品入口の上側流れ阻止体は、物品入口の底側流れ阻止体と第１の上側流れ阻止体との間を通過する製造物品の上面に摺動可能に接触するように適合された自由部分を含む。製造物品が、物品入口の底側流れ阻止体と上側流れ阻止体との間を通過しないとき、物品入口の上側流れ阻止体の自由部分及び底側流れ阻止体の自由部分は、互いに接触するように適合されている。
【００１８】
同様に、物品出口の底側流れ阻止体は、物品出口の底側流れ阻止体と上側流れ阻止体との間を通過する製造物品の底面に摺動可能に接触するように適合された自由部分を含む。物品出口の上側流れ阻止体は、物品出口の底側流れ阻止体と上側流れ阻止体との間を通過する製造物品の上面に摺動可能に接触するように適合された自由部分を含む。製造物品が、物品出口の底側流れ阻止体と上側流れ阻止体との間を通過しないとき、物品出口の上側流れ阻止体の自由部分及び物品出口の底側流れ阻止体の自由部分は、互いに接触するよう
に適合されている。
【００１９】
例示的な実施形態において、不活性環境用エンクロージャは窒素フードである。さらに特定の実施形態において、窒素フードは、ウェーブはんだ付け機を受け入れるように構成されている。
【図面の簡単な説明】
【００２０】
【図１】窒素フード１００を示す斜視図。
【図２】図１に示された窒素フード１００の入口１０２を示す斜視図。
【図３】入口１０２の底側流れ阻止体２０２及び上側流れ阻止体２０４を示す斜視図。
【図４】底側流れ阻止体２０２及び上側流れ阻止体２０４を示す分解図。
【図５】底側流れ阻止体２０２の構造を描写する図。
【図６】入口１０２の断面図。
【図７】窒素フード１００の出口１０４を示す斜視図。
【図８】出口１０４の底側流れ阻止体７０２及び上側流れ阻止体７０４を示す斜視図。
【図９】上側流れ阻止体７０４及びノズル７１２を示す分解図。
【図１０】出口１０４の断面図。
【発明を実施するための形態】
【００２１】
本発明は、以下の図面を参照して記載される。ここで、同様の参照符号は、略類似する要素を意味する。
本発明は、エンクロージャの入口及び／又は出口に取り付けられた底側流れ阻止体及び上側流れ阻止体を有する不活性環境用エンクロージャを提供することによって、従来技術に伴う問題を解決する。以下の記載において、本発明の完全な理解を提供するために、多数の具体的な詳細（例えば、コンベヤシステム、窒素フード、ウェーブはんだ付け機等）が記載される。しかしながら、当業者は、本発明がこれらの具体的な詳細とは別に、実施され得る旨を認識するはずである。他の例において、周知のウェーブはんだ付けの実践（例えば、予熱、フラックス付与、はんだ付け等）及び構成要素の詳細は、不要に本発明を不明瞭なものとしないために省略されている。本発明は、ウェーブはんだ付けフードの内容について記載されているものの、当然のことながら、本発明は、フードにおいて通常行われる公知のプロセスによって実施されることができる。
【００２２】
図１は、本発明の１つの実施形態にかかるウェーブはんだ付け窒素フード１００の斜視図を示している。フード１００は、入口１０２と、出口１０４と、コンベヤの軌道の組１０６と、コントロールパネル１０８とを含む。入口１０２及び出口１０４は、製造物品（例えば回路基板）がそこを通ってフード１００にそれぞれ入って出る通路を提供する。軌道１０６は、フード１００を介して製造物品を案内する手段を提供する。軌道１０６は、入口１０２、及び、処理機器（すなわち、フラックス噴霧器、ヒーター、はんだ波生成装置）を通過して、出口１０４を通って延在している。製造物品は、例えば、電動式のチェーン、ベルト、ローラー、ギア等の任意の適切な手段によって手動又は自動のいずれかで軌道１０６に沿って輸送することができる。さらに、製造物品は、直接に又はパレット上のいずれかで軌道１０６に沿って運ばれることができる。コントロールパネル１０８は、フード１００の様々な機能及び動作状態のユーザによる制御及び監視を提供する。実際に、コントロールパネル１０８は、一組の流量計１１０及びユーザ入力／出力インターフェース１１２を含む。流量計１１０は、フード１００内の様々な位置における窒素レベルの制御及び監視を容易なものとする。さらに、流量計１１０のうちの少なくとも１つは、出口１０４における窒素の制御及び監視を容易なものとする。製造中にフード１００によって使用される窒素ガスは、例えば、補充可能な／取り外し可能な搭載型窒素タンク、遠隔
窒素源に対して接続された窒素ホース等の任意の適切な供給源によって供給されることができる。ユーザ入力／出力インターフェース１１２は、ユーザとフード１００との間の通信を容易なものとする任意の適切な１つの装置又は複数の装置を示す。例えば、インターフェース１１２は、動作状態（例えば、内部酸素レベル、内部圧力レベル、温度等）やユーザ設定等の情報を提供するための表示画面１１４を含む。インターフェース１１２はまた、ユーザ入力を受ける任意の適切な手段（例えば、ボタン、スイッチ、ノブ等）を示す複数のユーザ入力装置１１６を含む。
【００２３】
フード１００の１つの重要な特徴は、それが製造中に正（陽）のゲージ圧で動作することができるということである。すなわち、正のゲージ圧で動作するとき、フード１００の内部圧力は、フード１００の外部圧力よりも大きい。もちろん、ゲージ圧は、フード１００内に窒素ガスの流量を増やすことによって増加される。正のゲージ圧で動作することにより、窒素ガスがフード１００の高圧内部から周囲の低圧大気まで連続的に流れることから、フード１００に入ることができる空気の量は、大幅に低減される。それゆえに、圧力差は、正のゲージ圧で動作していない場合は、大気が通過するのを許容することができる任意の小開口を介して、フード１００の外部へと窒素ガスを連続的に流れさせる。フード１００は、正のゲージ圧で動作することができるのみならず、フード１００はまた、自動又は手動のいずれかで正のゲージ圧を維持することができる。正のゲージ圧を維持する手段として、フード１００は、所定の動作状態のセットを維持する自動制御システムを使用することができる。例えば、制御システムは、電子圧力計及び電気的に作動する窒素弁に対して電気的に結合されたコンピュータシステムを含むことができる。コンピュータシステムは、フード内の圧力を表す電気的圧力測定値を連続的にサンプリングすることができ、その後、ユーザ定義が可能な又は予めプログラムが可能な所定の値のセットと測定値とを比較することができる。所定の状態を満たさない測定値に応答して、コンピュータシステムは、十分なゲージ圧が達成されるまで窒素弁を作動させることができる。すなわち、ゲージ圧測定値が高すぎる又は低すぎるとき、窒素流量は増加又は低減されることができる。随意に、自動制御システムはまた、フード１００内の様々な他の動作状態の自動制御及び監視を容易なものとするようにコンピュータに連結された様々な他の種類のセンサ（例えば、温度計、光センサ、電荷センサ、酸素センサ、窒素センサ等）並びに処理装置（例えば、ベントアクチュエータ、排気ポンプ／ファン、加熱／冷却素子、光源等）を含むことができる。正のゲージ圧を維持するための他の手段として、フード１００内の圧力は、単に作動時に窒素の連続流量を維持する弁をフード１００に組み入れることによって、手動で制御することができる。その弁は、可変流量弁又は単なる開放／閉止型の弁のいずれかとすることができる。用語「ゲージ圧」が、システム圧力が局所的な大気圧よりも大きいとき、局所的な大気圧に対するシステム内の圧力を指すことは、当業者にとって公知である。逆にいえば、用語「真空圧」は、システム圧力が局所的な大気圧より低い場合の、局所的な大気圧に対するシステム内の圧力を指す。
【００２４】
図２は、図１においては表示されない追加の特徴を含む入口１０２の斜視図を示している。入口１０２は、開口２００（図６に示される）と、底側流れ阻止体２０２と、上側流れ阻止体２０４とを含む。開口２００は、フード１００の側壁２０６を通って形成されており、製造物品が軌道１０６に沿ってフード１００内に案内される通路を提供する。底側流れ阻止体２０２は、一組のネジ２０８により軌道１０６の底部に取り付けられている。同様に、上側流れ阻止体２０４は、一組のネジ２１０により軌道１０６の上部に取り付けられている。底側流れ阻止体２０２及び上側流れ阻止体２０４は、製造物品がフードに入る際に、底側流れ阻止体２０２及び上側流れ阻止体２０４が同時に製造物品の上面及び底面にそれぞれ接触するように、軌道１０６の反対側から互いに対向して取り付けられている。この接触は、製造物品が開口２００を通過する際に、空気がフード１００に入るのを防止する。製造物品が開口２００を通過していない間は、底側流れ阻止体２０２及び上側流れ阻止体２０４は、空気がフード１００内に入るのを防止するように互いに接触する。
空気がフード１００内に入るのを防止することに加え、底側流れ阻止体２０２及び上側流れ阻止体２０４は、フード１００から外部への窒素の流れを低減する。フード１００から外部への窒素の流れを低減することにより、ゲージ圧を増加又は維持するのに必要な窒素が少なくなる。上述したように、ガスがフード１００内の高圧からフード１００の外部の大気の比較的低圧へと局所的に流れることから、ゲージ圧の増加は、フード１００内への空気の通過をさらに防止する。
【００２５】
図３は、図１〜図２において表示されない追加の特徴を含む底側流れ阻止体２０２及び上側流れ阻止体２０４の斜視図を示している。底側流れ阻止体２０２は、一組のカーテン３００と、取付板３０２と、カバー板３０４とを含む。カーテン３００は、通過する製造物品の底面にカーテン３００の上部が摺動可能に接触するように直立位置で取付板３０２上に取り付けられている。カーテン３００は、製造物品を通過させることによって付勢されたとき容易に屈曲する軟性の可撓性織物から構成されている。軟性かつ可撓性であることに加え、この織物は、通過する製造物品の底面との軽度の接触を維持し、カーテン３００が屈曲した後に直立位置に戻るのを許容するように十分な剛性を有する。カーテン３００は、様々な種類の織物及び材料（例えば剛毛）から構成されることができるものの、本願発明者は、静電放電（ＥＳＤ）に対して安全であり１４８．９℃（３００Ｆ）を超える温度に耐性がある織物を被覆したポリテトラフルオロエチレン（すなわち、テフロン（登録商標））からカーテンが構成されるときに良好な結果が達成されることを見出した。カーテン３００は、開口２００（図６に示される）の全幅に沿って延在している４つの平行な列３０６（ａ−ｄ）として配置されている。それぞれの列３０６（ａ−ｄ）は、第１の層３０８と、重なり合った第２の層３１０とを含み、それぞれは、複数の隣接するフィンガー３１４を規定する複数の垂直薄片３１２を含む。第１の層３０８に形成された薄片３１２は、フィンガー３１４同士の間の空気漏れを最小化するために第２の層３１０に形成された薄片３１２から水平方向にオフセットされている。それぞれのフィンガー３１４は、カーテン３００が異なる製造物品の様々な大きさ及び要素の形状に適応することができるように、隣接するフィンガーから独立して自由に屈曲することができる。製造物品が入口１０２を通過する際に、フィンガー３１４は、下方に屈曲し、それらの間において薄いシールを形成するように物品の底面を優しく掃く。
【００２６】
例えば、取付板３０２は、カーテン３００の取り付けを容易なものとするアルミニウム板である。カーテン３００の取り付けは、一組のネジ３１６（図４において示される）により取付板３０２の底面に取り付けられたカバー板３０４によってさらに容易とされる。ここで留意すべきは、取付板３０２及びカバー板３０４の追加の特徴及び機能性は、次の図４を考慮してさらに詳細に記載されるということである。
【００２７】
上側流れ阻止体２０４は、一組のカーテン３１８と、取付板３２０と、カバー板３２２とを含む。カーテン３１８は、カーテン３１８の底部が、通過する製造物品の上面に摺動可能に接触するようにカーテン３００に対向して下向き位置で取付板３２０上に取り付けられている。さらに、カーテン３１８は、物品がフード１００内に通されていないとき、列３０６（ａ−ｄ）にそれぞれ接触する４つの列３２４（ａ−ｄ）内に配置されている。取付板３２０及びカバー板３２２は、カーテン３１８の取り付けを容易なものとする。また、取付板３２０及びカバー板３２２は、一組のネジ３２６により一体に固定される。カーテン３１８、取付板３２０及びカバー板３２２の特徴及び機能性は、それぞれ、カーテン３００、取付板３０２及びカバー板３０４の特徴及び機能性と略同様である。したがって、カーテン３１８、取付板３２０及びカバー板３２２の掘り下げた詳細は、冗長を避けるべく以下の記載から省略する。
【００２８】
図４は、カーテン３００、取付板３０２、カバー板３０４、カーテン３１８、取付板３２０、及び、カバー板３２２の追加の特徴を示すために、軸線４００に沿って分解した場
合の底側流れ阻止体２０２及び上側流れ阻止体２０４の斜視図を示している。カーテン３００は、取付板３０２に対するカーテン３００の取り付けを容易なものとする取り付け部分４０２をさらに含む。取付板３０２は、一組のスルーホール４０４、一組のネジ孔４０６（示されない）、及び、４つの平行なスロット４０８を含む。スルーホール４０４は、取付板３０２を通って完全に形成された開口であり、それぞれは、軌道１０６の底部に対する底側流れ阻止体２０２の取り付けの際にネジ２０８のそれぞれ１つを受け入れる。それぞれのネジ孔４０６は、取付板３０２に対するカバー板３０４の取り付けの際にネジ３１６のそれぞれ１つを受け入れる。それぞれのスロット４０８は、取付板３０２を通って完全に形成された細長い開口であり、列３０６（ａ−ｄ）のそれぞれ１つを受け入れるように構成されている。カバー板３０４は、スルーホール４１０の組と、第２のスルーホール４１２の組とを含む。それぞれのスルーホール４１０は、軌道１０６の底部に対する底側流れ阻止体２０２の取り付けの際にネジ２０８のそれぞれ１つを受け入れるように、スルーホール４０４のそれぞれ１つと同軸上に整列されている。それぞれのスルーホール４１２は、取付板３０２に対するカバー板３０４の取り付けの際にネジ３１６のそれぞれ１つを受け入れるように、ネジ孔４０６のそれぞれ１つと同軸上に整列されている。
【００２９】
カーテン３１８は、取付板３２０へのカーテン３１８の取り付けを容易なものとする取り付け部分４１４をさらに含む。取付板３２０は、一組のスルーホール４１６と、一組のネジ孔４１８と、４つの平行なスロット４２０とを含む。スルーホール４１６は、取付板３２０を通って完全に形成された開口であり、それぞれは、軌道１０６の上部に対する上側流れ阻止体２０４の取り付けの際にネジ２１０のそれぞれ１つを受け入れる。それぞれのネジ孔４１８は、取付板３２０へのカバー板３２２の取り付けの際にネジ３２６のそれぞれ１つを受け入れる。それぞれのスロット４２０は、取付板３２０を通って完全に形成された細長い開口であり、列３２４（ａ−ｄ）のそれぞれ１つを受け入れるように構成されている。カバー板３２２は、一組のスルーホール４２２と、第２の一組のスルーホール４２４とを含む。それぞれのスルーホール４２２は、軌道１０６の上部に対する上側流れ阻止体２０４の取り付けの際にネジ２１０のそれぞれ１つを受け入れるように、スルーホール４１６のそれぞれ１つと同軸上に整列されている。それぞれのスルーホール４２４は、取付板３２０に対するカバー板３２２の取り付けの際にネジ３２６のそれぞれ１つを受け入れるように、ネジ孔４１８のそれぞれ１つと同軸上に整列されている。
【００３０】
図５は、本発明の１つの実施形態にかかる底側流れ阻止体２０２を組み立てるための様々な段階を描いている。組み立て段階は、第１の段階５００と、第２の段階５０２と、第３の段階５０４と、第４の段階５０６とに集約される。第１の段階５００において、織物からなる単一の均一シート５０８、取付板３０２、カバー板３０４、及び、ネジ３１６が提供される。そして、第２の段階５０２において、織物５０８は、各スロット４０８に沿って延在する織物のループ５１０を形成するために、それぞれのスロット４０８内に且つスロット４０８から外部に織られる。組み立てのこの段階では、ループ５１０のそれぞれが列３０６（ａ−ｄ）の個々の１つを形成すると認識されるべきである。次に、第３の段階５０４では、取り付け部分５０２が堅く挟持され、したがって、カバー板３０４及び３０２の間で固定されるように、カバー板３０４がネジ３１６によって取付板３０２に対して堅く取り付けられる。ネジ３１６が締められると、各ループ５１０は、複数の個々の隣接するループ５１４を形成するために線５１２に沿って垂直にスライスされる。最後に、第４の段階５０６において、各ループ５１４が２つの個々の当接しているフィンガー３１４に分離されるように、個々のループ５１４の頂点が水平にスライスされ、その一方は、第１の層３０８の一部となり、他方は、第２の層３１０の一部となる。
【００３１】
図６は、製造物品がフード１００内に通されていないときにおける入口１０２の断面図を示している。したがって、製造物品がフード１００内に通されていないとき、列３０６（ａ−ｄ）がそれぞれ列３２４（ａ−ｄ）と接触を維持するように、カーテン３１８が下
向き位置を維持する一方で、カーテン３００は直立位置を維持する。連続的接触がそれぞれの列３０６（ａ−ｄ）とそれぞれの列３２４（ａ−ｄ）との間で同時に維持されるものの、各列の４つの組の１つの列のみの間の接触は、空気がフード１００に入るのを防止するのに十分である。それゆえに、空気が開口２００を通って入るために、それぞれの列３０６（ａ−ｄ）及びそれぞれの列３２４（ａ−ｄ）において接触できないことは、同時に起こらなければならない。そのような生じ難い状況が起こった場合であっても、フード１００内の正のゲージ圧は、空気がフード１００内に入るのを防止するように開口２００から外部への窒素ガスの連続放出を生じさせるであろう。
【００３２】
物品がフード１００内に通されていないときのみならず、物品がフード１００内に通されたときもまた、カーテン３００及び３１８は、空気が開口２００に入るのを防止する。例えば、製造物品が最初に入口１０２に入るとき、列３０６（ａ−ｄ）及び３２４（ａ−ｄ）がそれぞれ接触を維持する一方で、製造物品は、内側に及び互いに離れるように列３０６（ａ）及び列３２４（ａ）を押圧する。列３０６（ａ）及び列３２４（ａ）が内側に屈曲することを強いられる際に、列３０６（ａ）及び列３２４（ａ）は、製造物品が通過する際に製造物品の底面及び上面にそれぞれ同時に接触する。列３０６（ａ）及び列３２４（ａ）を介して漏洩する可能性がある空気は、残りの接触列３０６（ｂ−ｄ）及び列３２４（ｂ−ｄ）によってそれ以上入るのを防止される。同様に、列３０６（ｂ−ｄ）及び列３２４（ｂ−ｄ）は、製造物品が前進する際に、連続して内側に屈曲し、製造物品の底面及び上面によってそれぞれ薄いシールを形成する。すべての列３０６（ａ−ｄ）及び列３２４（ａ−ｄ）が同時に屈曲するように、通過する製造物品の水平長さが入口１０２の水平長さよりも大きくなる傾向がある。しかしながら、フード１００内の正のゲージ圧及びカーテン列間の水平距離によって、気流が開口２００を通って入るのをさらに防止される。１つの列のフィンガーが製造物品の一部によって屈曲し、一部によって以前に屈曲した他の列のフィンガーが気流を妨げる位置に戻り得ることから、各列間の距離は、フード１００内への気流を低減する。
【００３３】
図７は、図１において示されない追加の特徴を含む出口１０４の斜視図を示している。出口１０４は、開口７００（図１１に示される）と、底側流れ阻止体７０２と、上側流れ阻止体７０４とを含む。開口７００は、フード１００の側壁７０６を通って形成されており、製造物品が軌道１０６に沿ってフード１００から外部に案内される通路を提供する。底側流れ阻止体７０２は、一組のネジ７０８により軌道１０６の底部に取り付けられている。同様に、上側流れ阻止体７０４は、一組のボルト７１０により軌道１０６の上部に取り付けられている。底側流れ阻止体７０２及び上側流れ阻止体７０４は、製造物品がフード１００から出る際に、底側流れ阻止体７０２及び上側流れ阻止体７０４が同時に製造物品の上面及び底面にそれぞれ接触するように、軌道１０６の反対側から互いに対向して取り付けられている。この接触は、製造物品が出口１０４を通って出る際に、空気がフード１００に入るのを防止する。製造物品がフード１００から出ていない場合、底側流れ阻止体７０２及び上側流れ阻止体７０４は、空気がフード１００内に入るのを防止するように互いに接触する。空気がフード１００に入るのを防止することに加え、底側流れ阻止体７０２及び上側流れ阻止体７０４は、フード１００から外部への窒素の流出を低減する。
【００３４】
この特定の実施形態において、フード１００は、上側流れ阻止体７０４上に取り付けられた窒素ノズル７１２をさらに含む。窒素ノズル７１２は、空気がフード１００に入るのをさらに防止するように窒素ガスを直接出口１０４へと供給する手段を提供する。窒素ガスは、壁７０６を貫通するように示される窒素供給ライン７１４を介してノズル７１２へと供給される。供給ライン７１４は、壁７０６を貫通するように示されるものの、供給源がフード１００の内部又は外部に配置されるかにかかわらず、任意の適切な窒素源から窒素を搬送することができる。ノズル７１２を介した窒素流れの制御及び監視は、流量計１１０（図１に示される）のうちの少なくとも１つによって容易とされる。ここで留意すべ
きは、ノズル７１２は、一般に、ガスの放出を制御する任意の適切な手段を提供するということである。しかしながら、本願発明者は、チャンド・アイゼンマン・メタラジカル社（Ｃｈａｎｄ  Ｅｉｓｅｎｍａｎｎ  Ｍｅｔａｌｌｕｒｇｉｃａｌ）の多孔性焼結３１６ステンレス鋼ノズルを使用して良好な結果を達成している。
【００３５】
図８は、図７において示されない追加の特徴を含む底側流れ阻止体７０２及び上側流れ阻止体７０４の斜視図を示している。
底側流れ阻止体７０２は、一組のカーテン８００と、取付板８０２と、カバー板８０４とを含む。カーテン８００は、４つの平行な列８０６（ａ−ｄ）として配置されており、それぞれは、複数の隣接するフィンガー８０８を含む。製造物品が出口１０４から出る際に、フィンガー８０８は、下方に屈曲し、それらの間において薄いシールを形成するように物品の底面を優しく掃く。取付板８０２及びカバー板８０４は、カーテン８００の取り付けを容易とし、一組のネジ８１０（図１０に示される）により一体に取り付けられる。ここで留意すべきは、底側流れ阻止体７０２の特徴が底側流れ阻止体２０２及び上側流れ阻止体２０４のものと略同様であるということである。したがって、底側流れ阻止体７０２の特徴と関連する多くの具体的な詳細は、冗長を避けるべく以下の記載から省略する。
【００３６】
上側流れ阻止体７０４は、一組のカーテン８１２と、取付板８１４と、カバー板８１６とを含む。カーテン８１２は、カーテン８１２の底部が、通過する製造物品の上面に摺動可能に接触するように、カーテン８００に対向して下向き位置で取付板８１４上に取り付けられている。さらに、カーテン８１２は、物品がフード１００から出ていないとき、列８０６（ｂ−ｄ）にそれぞれ接触する３つの列８１８（ｂ−ｄ）内に配置されている。それぞれの列８１８（ｂ−ｄ）は、複数の隣接するフィンガー８２０（図９に示される）を含む。取付板８１４及びカバー板８１６は、カーテン８１２の取り付けを容易なものとする。カーテン８１２の部分がそれらの間に挟持される一方で、カーテン８１２の取り付けは、取付板８１４及びカバー板８１６を一体に固定する手段を提供する一組のネジ８２２によってさらに容易とされる。
【００３７】
図９は、軸線９００に沿って分解した場合のカーテン８１２、取付板８１４、カバー板８１６、及び、ノズル７１２の斜視図を示している。
カーテン８１２は、取り付けの際に取付板８１４及びカバー板８１６の間に堅く挟持される取り付け部分９０２をさらに含む。この特定の実施形態において、カーテン８１２は、カーテン３００、３１８及び８００を構成するのに使用される同じ種類の織物から構成される。
【００３８】
しかしながら、１つのカーテンを構成するのに使用される材料は、必ずしも、他のカーテンを形成するのに使用される材料と同じである必要はない。例えば、カーテン８１２は、カーテン８００とは異なり、カーテン８１２が、それらの元の位置に戻るときに下向きに屈曲せず、したがって重力に打ち勝つ必要はないことから、カーテン８００を形成するのに使用されるものよりも可撓性がある材料から形成されることができる。
【００３９】
取付板８１４は、一組のスルーホール９０４と、一組のネジ孔９０６と、３つの平行なスロット９０８とを含む。スルーホール９０４は、軌道１０６の上部に対する上側流れ阻止体７０４の取り付けの際にボルト７１０のそれぞれ１つを受け入れるように取付板８１４を通って完全に形成された開口である。それぞれのネジ孔９０６は、取付板８１４に対するカバー板８１６の取り付けの際にネジ８２２のそれぞれ１つを受け入れる。それぞれのスロット９０８は、取付板８１４を通って完全に形成された細長い開口であり、列８１８（ｂ−ｄ）のそれぞれ１つを受け入れるように構成されている。
【００４０】
カバー板８１６は、一組のスルーホール９１０と、第２の一組のスルーホール９１２と
を含む。それぞれのスルーホール９１０は、軌道１０６の上部への上側流れの阻害物７０４の取り付けの際にボルト７１０のそれぞれ１つを受け入れるように、スルーホール９０４のそれぞれ１つと同軸上に整列されている。それぞれのスルーホール９１２は、取付板８１４に対するカバー板８１６の取り付けの際にネジ８２２のそれぞれ１つを受け入れるように、ネジ孔９０６のそれぞれ１つと同軸上に整列されている。
【００４１】
取付板８１４及びカバー板８１６は、ノズル７１２の取り付けを容易なものとするために、さらにスルーホール９１４及び９１６をそれぞれ含む。スルーホール９１４及び９１６は、取付板８１４及びカバー板８１６が互いに固定されるとき、上側流れ阻止体７０４を通る開口を形成するために、軸線９００に対して同軸上に整列されている。ノズル７１２が開口内に配置されると、ノズル７１２上に形成された相補的な組のネジ山９２０上にネジ山止めされるナット９１８により固定位置に取り付けられる。示されていないものの、ノズル７１２を取り付けるとき、いくつかの適切な種類のガス流れ阻止体（例えば、Ｏリングやガスケット等）がさらに使用される可能性がある。
【００４２】
図１０は、製造物品がフード１００から出ていないときにおける出口１０４の断面図を示している。したがって、製造物品がフード１００から出ていないとき、列８０６（ｂ−ｄ）がそれぞれ列８１８（ｂ−ｄ）と接触を維持するように、カーテン８１２が下向き位置を維持する間、カーテン８００は、直立位置を維持する。この特定の実施形態において、カーテン８００及び８１２の機能性は、カーテン３００及び３１８の場合と略同様であり、カーテン８１２が４つではなく３つの列を有するということが唯一の違いである。第４の列を有する代わりに、ノズル７１２は、列８０６（ａ）よりも上方に取り付けられる。
【００４３】
本発明の特定の実施形態の記載は、これで完全である。記載された特徴の多くは、本発明の範囲から逸脱することなく、置換され、変更され、又は、省略されてもよい。例えば、代替的な流れ阻止要素（例えば剛毛）が、カーテン３００、３１８、８００及び８１２のいずれかと置換されてもよい。他の例として、代替的な不活性ガス（例えば、ヘリウムやアルゴン等）が、窒素ガスと置換されてもよい。示された特定の実施形態からのこれらの及び他の逸脱は、特に上述した開示を考慮し、当業者には明らかであろう。
【図１】
2013501618.tif 000003
【図２】
2013501618.tif 000004
【図３】
2013501618.tif 000005
【図４】
2013501618.tif 000006
【図５】
2013501618.tif 000007
【図６】
2013501618.tif 000008
【図７】
2013501618.tif 000009
【図８】
2013501618.tif 000010
【図９】
2013501618.tif 000011
【図１０】
2013501618.tif 000012
【国際調査報告】
2013501618.tif 000013